(57)【特許請求の範囲】
【請求項１】
支柱と、アームと、仕切体と、ブラケットとを備え、アームの先端部に仕切体を取り付けてあり、アームの基端部にブラケットを取り付けてあり、ブラケットは、水平に配置した回転軸により支柱に対して回転自在に取り付けてあって、回転軸を挟んで二つの当接部を有しており、支柱は、二つのストッパを有しており、回転軸の回転により仕切体が開閉し、仕切体の全閉時に、当接部が回転軸中心から離隔した位置でストッパに当接するものであり、ストッパの当接部に接する部分が先細形状であることを特徴とする門扉。
【発明の詳細な説明】
【技術分野】
【０００１】
本発明は、跳ね上げ形式の門扉に関する。
【背景技術】
【０００２】
従来、扉体を上下に動かして開閉する跳ね上げ形式の門扉があり、駐車場の出入口などに多く設置されている。このような門扉の例として、特許文献１に記載のものが挙げられる。この門扉は、一対の支柱及びアームと、扉体とを備え、各アームの基端が各支柱に回転自在に軸支されていて、両アームの先端に扉体を横架させてあり、アームの回転により扉体を昇降させて開閉するものである。
【０００３】
ところで、このような門扉においては、全閉時において、扉体に所定の鉛直荷重が作用した場合にも、使用上支障がないような強度が求められるが、この荷重を回転軸のみで受けると、回転機構に損傷を生じるおそれがある。そこで、特許文献１の門扉では、支柱にストッパ部材を取り付け、アームをストッパ部材に当接させて荷重を受けている。
【先行技術文献】
【特許文献】
【０００４】
【特許文献１】特開平８−８６１７３号公報
【発明の概要】
【発明が解決しようとする課題】
【０００５】
しかしながら、特許文献１の門扉では、各支柱に取り付けた単一のストッパ部材で荷重を受けているため、必要強度が大きくなってストッパ部材の外形が大きくなり、意匠性を損なうという問題があった。
【０００６】
本発明は、上記事情を鑑みたものであり、荷重に対して十分な強度を有し、かつ意匠性が良好な跳ね上げ形式の門扉を提供することを目的とする。
【課題を解決するための手段】
【０００７】
本発明は、支柱と、アームと、仕切体と、ブラケットとを備え、アームの先端部に仕切体を取り付けてあり、アームの基端部にブラケットを取り付けてあり、ブラケットは、水平に配置した回転軸により支柱に対して回転自在に取り付けてあって、回転軸を挟んで二つの当接部を有しており、支柱は、二つのストッパを有しており、回転軸の回転により仕切体が開閉し、仕切体の全閉時に、当接部が回転軸中心から離隔した位置でストッパに当接するものであり、ストッパの当接部に接する部分が先細形状であることを特徴とする。なお、アームの先端部及び基端部について、先端部には、先端及びその近傍を含み、基端部には、基端及びその近傍を含む。
【発明の効果】
【０００８】
本発明によれば、二つのストッパで荷重を受けることにより、ストッパが一つの場合と比べて、各ストッパにかかる荷重は半分になる。また、当接部が回転軸中心から離隔した位置でストッパに当接するので、モーメントアームが長くなり、各ストッパにかかる荷重はさらに小さくなる。よって、ストッパの必要強度が小さくなるのでストッパの外形を小さくすることができ、十分な強度を有しつつ意匠性が良好なものとなる。
【図面の簡単な説明】
【０００９】
【図１】全開時におけるブラケット部分を示し、（ａ）は正面図、（ｂ）は側面図である。
【図２】全閉時におけるブラケット部分の側面図である。
【図３】門扉の正面図であり、（ａ）は全開時、（ｂ）は全閉時である。
【図４】門扉の縦断面図（図３のＡ−Ａ線断面図）である。
【図５】アーム（先端側部材）の断面図（図４のＢ−Ｂ線断面図）である。
【図６】全開時における収納カバー部分を示し、（ａ）は側面図、（ｂ）は正面図である。
【図７】全閉時における収納カバー部分の側面図である。
【図８】連結部材部分のコードの取り回しの説明図である。
【発明を実施するための形態】
【００１０】
以下、本発明の実施の形態を図面に基づいて説明する。この門扉は、図３に示すように、駐車場の出入口に設置するものであって、特にオープン外構の住宅の駐車場を想定したものである。なお、以下において左右とは図３における左右を示し、前後とは図３における手前側及び奥側を示すものとする。また、特に示す場合を除き、図３（ａ）のようにアーム２が垂直上向きの状態を基準として説明する。図３及び図４に示すように、門扉は、二本の支柱１及びアーム２と、仕切体３とを備える。支柱１は、自動車Ｃ二台分の間隔を開けて左右に立設されており、断面略長方形の形材からなるものであって、左右幅よりも前後幅が長い。そして、支柱１の内側面（左側の支柱１の右側面及び右側の支柱の左側面）に、アーム２が取り付けられている。アーム２は、基端部を回転中心として回転自在に取り付けられており、図１に示すように、基端側部材２ａと、先端側部材２ｂと、連結部材２ｃからなる。基端側部材２ａと先端側部材２ｂは、何れも形材からなるものであり、基端側部材２ａは断面略長方形で、左右幅よりも前後幅が長い。一方、先端側部材２ｂは断面略正方形であって、図５に示すように、内側面に凹んだ手掛部２３を形成してある。手掛部２３の前側端からは後側に延びる把持部２４が突出しており、手で掴みやすくなっている。従来、このような手掛部はアームから突出するように別途取り付けられており、意匠性が損なわれていたが、本実施形態ではアーム２の側面を掘り込む形状となっており、意匠性が良好である。そして、基端側部材２ａの前後幅は先端側部材２ｂの前後幅と略等しく、先端側部材２ｂの左右幅は支柱１の左右幅と略等しい。また、連結部材２ｃは、左右に延びる板状のものであって、内側端の下面と、外側端の上面に、取付部２１を形成してある。そして、内側端下面の取付部２１を基端側部材２ａの先端に挿入し、外側端上面の取付部２１を先端側部材２ｂの基端に挿入して、それぞれボルト止めしてある。このように構成したアーム２は、正面視するとクランク状に折れ曲がっており（図３（ａ））、側面視すると直線状である（図４）。さらに、左右のアーム２の先端に、仕切体３が横架されている。仕切体３は二つの形材を組み合わせて断面凹形に形成されており、凹部３１が前側を向いている。仕切体３の前後幅は、アーム２の前後幅と略等しい。そして、凹部３１内の左右二箇所にＬＥＤ光源３２が取り付けられている。
【００１１】
このように構成した門扉において、アーム２は、垂直上向きの状態（図３（ａ））から、水平前向きの状態（図３（ｂ））まで自在に回転し、仕切体３を上下動させて開閉する。アーム２を垂直上向きにした状態が全開状態であり、自動車Ｃの出し入れが可能となる。また、全開状態ではＬＥＤ光源３２が前側を向き、正面を照らす。なお、この状態においては、アーム２の先端側部材２ｂが支柱１の直上に位置し、さらに支柱１と先端側部材２ｂは左右幅が略等しいので、正面視すると、支柱１と先端側部材２ｂが一本の柱状に見える。よって、全開時には、二本の支柱１及び先端側部材２ｂと仕切体３が、一連の門形形状を構成するように見える。一方、アーム２を水平前向きにした状態が全閉状態であり、自動車Ｃの出し入れは不可能となり、仕切体３に仕切られることによる心理的な防犯効果も得られる。また、全閉状態ではＬＥＤ光源３２が下側を向き、足元を照らす。なお、この門扉は、全開時及び全閉時の何れにおいても視線を遮断しない開放的な外観であるから、オープン外構の住宅への設置に適している。
【００１２】
次に、支柱１に対するアーム２の取り付け部分について詳述する。アーム２（基端側部材２ａ）の基端には、ブラケット４が取り付けられている。図１に示すように、ブラケット４は、略円盤形状の本体４１を有しており、本体４１は垂直に起立する向きであって、本体４１の上部に取付部４２を形成してあり、取付部４２を基端側部材２ａの基端に挿入してボルト止めしてある。そして、本体４１の中心には、支柱１の内側面から水平向きに突出する回転軸５が固定されており、ブラケット４が水平軸周りに回転自在（すなわち、アーム２が回転自在）となっている。なお、回転軸５は、支柱１内部に設けた回転機構（図示省略）により回転するものである。また、本体４１の外側面（支柱１の内側面に対向する面）には、当接部６ａ，６ｂが形成されている。当接部６ａ，６ｂは、本体４１の中心から上下に延びるブロック状のもので、本体４１と一体になって回転する。さらに、本体４１に対向する支柱１の内側面には、二つのストッパ７ａ，７ｂが取り付けられている。ストッパ７ａ，７ｂはブロック状のもので、回転軸５に対して前側下方と後側上方に位置している。そして、前側下方のストッパ７ａは上端部が先細形状となっており、後側上方のストッパ７ｂは下端部が先細形状となっている。このように構成した当接部６ａ，６ｂとストッパ７ａ，７ｂは、全開時においては互いに接触しない（図１（ｂ））。そして、全閉時には、図２に示すように、全開時に上側に位置していた当接部６ａが前側下方のストッパ７ａに当接し、全開時に下側に位置していた当接部６ｂが後側上方のストッパ７ｂに当接する。この際、先細形状のストッパ７ａ，７ｂの先端部分が、当接部６ａ，６ｂの先端部分（回転軸５の中心から最も離隔した位置）のみに接する。当接部６ａ，６ｂがストッパ７ａ，７ｂに当接することで、ブラケット４（アーム２）はそれ以上回転することができなくなり、その状態から仕切体３をさらに押し下げる向きに働く荷重は、二つのストッパ７ａ，７ｂで受けることになる。
【００１３】
このように、二つのストッパ７ａ，７ｂで荷重を受けることにより、ストッパが一つの場合と比べて、各ストッパ７ａ，７ｂにかかる荷重は半分になる。また、当接部６ａ，６ｂが回転軸５の中心から離隔した位置でストッパ７ａ，７ｂに当接するので、モーメントアームが長くなり、各ストッパ７ａ，７ｂにかかる荷重はさらに小さくなる。なお、ストッパ７ａ，７ｂの当接部６ａ，６ｂに接する部分を先細形状とすることで、ストッパ７ａ，７ｂを当接部６ａ，６ｂの先端部分のみに当接させて、モーメントアームが長くなるようにしてある。これらによって、ストッパ７ａ，７ｂの必要強度が小さくなるのでストッパ７ａ，７ｂの外形を小さくすることができ、十分な強度を有しつつ意匠性が良好なものとなる。
【００１４】
次に、コード８１の収納カバー８について説明する。上記のとおり、仕切体３にＬＥＤ光源３２が取り付けられているが、このＬＥＤ光源３２の電源は支柱１内に納められており（図示省略）、ＬＥＤ光源３２と電源がコード８１で接続されている。このコード８１は、支柱１内からアーム２内及び仕切体３内を経由してＬＥＤ光源３２に至るものであるが、アーム２が回転自在であるため、支柱１とアーム２の間でコード８１が露出しないように、収納カバー８が設けられている。図６に示すように、収納カバー８は、支柱１の内側面に取り付けられており、回転軸５の後側上方から前側に直線状に延び、回転軸５の上側から前側までは円弧状に延びる形状となっている。円弧状の部分は、ブラケット４の本体４１の外側面と近接して対向している。そして、収納カバー８に覆われた支柱１の内側面のうち、収納カバー８の後側端部にあたる位置に貫通孔１１が形成されており、支柱１内のコード８１が貫通孔１１から収納カバー８内に進入する。また、収納カバー８の前側の円弧状の部分の内側面には、円弧に沿った貫通溝８２が形成されている。そして、アーム２の基端側部材２ａの外側面の、貫通溝８２に対向する位置に、貫通孔２２が形成されており、収納カバー８内のコード８１が貫通溝８２を通って貫通孔２２からアーム２内に進入する。なお、図６及び図７に示すように、この基端側部材２ａの貫通孔２２は、アーム２が回転しても、常に貫通溝８２に対向するものであり、全開時には貫通溝８２の上側端に対向し、全閉時には貫通溝８２の下側端に対向する。また、コード８１のうち収納カバー８内に納められた部分は、伸縮自在ないわゆるカールコードになっている。よって、コード８１はアーム２の回転に伴って伸縮し、全開時（図６）、全閉時（図７）及びその中間状態の何れの状態においても、コード８１が収納カバー８に覆われて露出しない。なお、アーム２の基端側部材２ａと先端側部材２ｂとを連結する連結部材２ｃ部分においては、連結部材２ｃの内部に孔を開けてコード８１を通すようにしてもよいし、図８に示すように、連結部材２ｃの下面にコード８１を露出させ、この露出した部分をカバー部材８３で覆うようにしてもよい。
【００１５】
また、この門扉は、アーム２を全開状態又は全閉状態でロックするためのロック機構９を備える。ロック機構９は、ブラケット４に取り付けたロックピン９１と、支柱１に固定した受部９２からなる。図６に示すように、ブラケット４は、本体４１の下部に突出する突出部４３を有しており、突出部４３には、左右方向に貫通する挿入孔４４が形成されている。この挿入孔４４に内側からロックピン９１が挿入されている。また、挿入孔４４の下部には、ボール９３とバネ９４が組み込まれており、バネ９４がボール９３をロックピン９１に向けて下側から押圧している。ロックピン９１の周囲には溝が形成されており、ボール９３が溝に嵌まることでロックピン９１を位置決めしている。一方、受部９２は、回転軸５の下側から後側に延びる円弧状のブロックであり、両端部にロックピン９１を受ける係合凹部９５が形成されている。下側の係合凹部９５は前側に開口し、後側の係合凹部９５は上側に開口している。このように構成したロック機構９においては、全開時にロックピン９１を押し込むと、ロックピン９１が受部９２の下側の係合凹部９５に係合し、アーム２が回転できなくなって、全開状態でロックされる。一方、全閉時にロックピン９１を押し込むと、ロックピン９１が受部９２の後側の係合凹部９５に係合し、アーム２が回転できなくなって全閉状態でロックされる。このように、ロックピン９１を押し引きするだけで、容易にロック状態と非ロック状態を切り替えることができる。
【００１６】
なお、図４に示すように、仕切体３には、前側面と下側面のみに、塩化ビニルによるラミネートＬを施してある（ハッチングで図示した部分）。このラミネートＬを施した面は、全開時には前側から視認できるが、全閉時には、下側面と後側面になるので、前側からはほとんど視認できなくなる。よって、全開時と全閉時とで門扉の表情を変えることができる。
【００１７】
本発明は、上記の実施形態に限定されない。たとえば、仕切体は、本実施形態のような形材からなるもののほか、棒状や板状のもの、あるいは格子状のものや全閉時に視線を遮断するパネル状のものなど、何らかの形で境界を仕切ることができるものであればよい。この仕切体は、たとえ上を乗り越えたり下を潜ったりすることが容易なものであっても、心理的な防犯効果を得ることができる。また、ブラケットは、アームと一体に形成されるものであってもよいし、ストッパは、支柱と一体に形成されるものであってもよい。
【符号の説明】
【００１８】
１  支柱
２  アーム
３  仕切体
４  ブラケット
５  回転軸
６ａ，６ｂ  当接部
７ａ，７ｂ  ストッパ
【図１】
0005968680.tif 000002
【図２】
0005968680.tif 000003
【図３】
0005968680.tif 000004
【図４】
0005968680.tif 000005
【図５】
0005968680.tif 000006
【図６】
0005968680.tif 000007
【図７】
0005968680.tif 000008
【図８】
0005968680.tif 000009